【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
情報処理装置であって、
無線通信インタフェースを介して画像形成装置から前記画像形成装置の機器情報を取得する取得手段と、
前記取得した機器情報を外部へ送信する第１の指示、または前記取得した機器情報を外部へ送信しない第２の指示を受け付ける受付手段と、
前記第１の指示を受け付けて、前記取得した機器情報を外部へ送信する処理、または前記第２の指示を受け付けて、前記取得した機器情報を外部へ送信せずに前記情報処理装置に保持させる処理を実行する実行手段と、
を備えることを特徴とする情報処理装置。
【請求項２】
前記受付手段により前記第２の指示を受け付けた場合、前記取得した機器情報を記憶する記憶手段と、
前記記憶手段に記憶された前記機器情報を外部へ送信する第３の指示を受け付ける更なる受付手段と、をさらに備え、
前記実行手段は、前記更なる受付手段により前記第３の指示を受け付けた場合、前記記憶手段に記憶された前記機器情報を外部へ送信する、
ことを特徴とする請求項１に記載の情報処理装置。
【請求項３】
前記更なる受付手段は、前記記憶手段に記憶された複数の機器情報を表示し、当該複数の機器情報からの選択を受け付けることを特徴とする請求項２に記載の情報処理装置。
【請求項４】
前記記憶手段はさらに、外部への送信が失敗した前記機器情報を記憶することを特徴とする請求項２又は３に記載の情報処理装置。
【請求項５】
前記情報処理装置は、前記画像形成装置と無線通信が可能な携帯端末であることを特徴とする請求項１乃至４のいずれか１項に記載の情報処理装置。
【請求項６】
画像形成装置と、携帯端末と、サーバとを含む通信システムであって、
前記画像形成装置は、
ユーザからの指示により、前記画像形成装置の機器情報を無線通信インタフェースを介して前記携帯端末により取得が可能なモードに前記画像形成装置を移行させる移行手段、を備え、
前記携帯端末は、
無線通信インタフェースを介して前記画像形成装置から前記機器情報を取得する第１の取得手段と、
前記取得した機器情報を前記サーバへ送信する第１の指示、または前記取得した機器情報を前記サーバへ送信しない第２の指示を受け付ける受付手段と、
前記第１の指示を受け付けて、前記取得した機器情報を前記サーバへ送信する処理、または前記第２の指示を受け付けて、前記取得した機器情報を前記サーバへ送信せずに前記携帯端末に保持させる処理を実行する実行手段と、を備え、
前記サーバは、
前記実行手段により送信された前記機器情報を受信する受信手段、を備える、
ことを特徴とする通信システム。
【請求項７】
前記携帯端末は、
前記受付手段により前記第２の指示を受け付けた場合、前記取得した機器情報を記憶する記憶手段と、
前記記憶手段に記憶された前記機器情報を前記サーバへ送信する第３の指示を受け付ける更なる受付手段、をさらに備え、
前記更なる受付手段により前記第３の指示を受け付けた場合、前記実行手段は、前記記憶手段に記憶された前記機器情報を前記サーバへ送信する、
ことを特徴とする請求項６に記載の通信システム。
【請求項８】
前記更なる受付手段は、前記記憶手段に記憶された複数の機器情報を表示し、当該複数の機器情報からの選択を受け付けることを特徴とする請求項７に記載の通信システム。
【請求項９】
前記記憶手段はさらに、前記サーバへの送信が失敗した前記機器情報を記憶することを特徴とする請求項７又は８に記載の通信システム。
【請求項１０】
前記画像形成装置は、
前記移行手段による前記モードへの移行の後、前記携帯端末と前記画像形成装置との間で通信を実行するための通信情報を前記携帯端末からの取得が可能なように保持する保持手段と、
前記携帯端末が取得した前記通信情報に基づいて実行される前記携帯端末との間の通信において、前記携帯端末からの要求に応じて、前記機器情報を前記携帯端末に送信する送信手段と、をさらに備え、
前記携帯端末は、
前記画像形成装置から前記通信情報を取得する第２の取得手段と、
前記取得した通信情報に基づいて実行される前記画像形成装置との間の通信において、前記機器情報を要求する要求手段と、をさらに備え、
前記第１の取得手段は、前記画像形成装置から送信された前記機器情報を取得することを特徴とする請求項６乃至９のいずれか１項に記載の通信システム。
【請求項１１】
前記画像形成装置は、
前記通信情報に基づいて前記通信が実行されている間、前記画像形成装置の通信相手を前記携帯端末に制限する制限手段、をさらに備えることを特徴とする請求項１０に記載の通信システム。
【請求項１２】
前記制限手段は、前記携帯端末との通信のみを有効とするアクセスポイントとして前記画像形成装置を動作させることにより、前記画像形成装置の通信相手を前記携帯端末に制限することを特徴とする請求項１１に記載の通信システム。
【請求項１３】
前記保持手段は、前記通信情報をＱＲコードとして保持し、
前記第２の取得手段は、前記画像形成装置に表示された前記ＱＲコードを読み取ることにより前記通信情報を取得する、ことを特徴とする請求項１０乃至１２のいずれか１項に記載の通信システム。
【請求項１４】
前記携帯端末は、
前記第２の取得手段により取得した前記通信情報に基づいて、前記通信の開始を要求する通信要求手段、をさらに備えることを特徴とする請求項１３に記載の通信システム。
【請求項１５】
情報処理装置において実行される通信方法であって、
無線通信インタフェースを介して画像形成装置から前記画像形成装置の機器情報を取得する取得工程と、
前記取得した機器情報を外部へ送信する第１の指示、または前記取得した機器情報を外部へ送信しない第２の指示を受け付ける受付工程と、
前記第１の指示を受け付けて、前記取得した機器情報を外部へ送信する処理、または前記第２の指示を受け付けて、前記取得した機器情報を外部へ送信せずに前記情報処理装置に保持させる処理を実行する実行工程と、
を有することを特徴とする通信方法。
【請求項１６】
画像形成装置と、携帯端末と、サーバとを含む通信システムにおいて実行される通信方法であって、
前記画像形成装置が、
ユーザからの指示により、前記画像形成装置の機器情報を無線通信インタフェースを介して前記携帯端末により取得が可能なモードに前記画像形成装置を移行させる移行工程と、
前記携帯端末が、
無線通信インタフェースを介して前記画像形成装置から前記機器情報を取得する取得工程と、
前記取得した機器情報を前記サーバへ送信する第１の指示、または前記取得した機器情報を前記サーバへ送信しない第２の指示を受け付ける受付工程と、
前記第１の指示を受け付けて、前記取得した機器情報を前記サーバへ送信する処理、または前記第２の指示を受け付けて、前記取得した機器情報を前記サーバへ送信せずに前記携帯端末に保持させる処理を実行する実行工程と、
前記サーバが、
前記実行工程において送信された前記機器情報を受信する受信工程と、
を有することを特徴とする通信方法。
【請求項１７】
請求項１乃至５のいずれか１項に記載の情報処理装置の各手段としてコンピュータを機能させるためのプログラム。
【手続補正２】
【補正対象書類名】明細書
【補正対象項目名】０００７
【補正方法】変更
【補正の内容】
【０００７】
上記課題を解決するため、本発明に係る情報処理装置は、情報処理装置であって、無線通信インタフェースを介して画像形成装置から前記画像形成装置の機器情報を取得する取得手段と、前記取得した機器情報を外部へ送信する第１の指示、または前記取得した機器情報を外部へ送信しない第２の指示を受け付ける受付手段と、前記第１の指示を受け付けて、前記取得した機器情報を外部へ送信する処理、または前記第２の指示を受け付けて、前記取得した機器情報を外部へ送信せずに前記情報処理装置に保持させる処理を実行する実行手段とを備えることを特徴とする。